(57)【要約】【課題】  キャップを一方向に回転させることで、第一剤と第二剤とを混合させることができ、開蓋して容器本体内の混合剤を使用することができるとともに、いたずらなどの不正行為が行われたかどうかを使用者が簡単に判別することのできるようにした二剤混合容器を提供すること。【解決手段】  第一剤を収納した容器本体と、内キャップと外キャップとからなる内方に第二剤を収納したキャップとからなる二剤混合容器であって、内キャップは、下壁と、底壁と、内筒と、上壁と、外筒とを具え、底壁には、流通孔が穿設され、外筒の外周の所定の位置には、外筒の上端から切欠かれ、下方に傾斜面を具えた当接面部が形成された係合凹部が凹設され、外キャップは、頂壁と、外周が内キャップの内筒内周に挿入される内筒と、外筒とを具え、内筒は、下端が底壁上面に当接するように形成され、外筒の内周には、内キャップの外筒の係合凹部に係合する当接リブが配設されていることを特徴とする。【選択図】  図１
2010052823.tif 000002
【特許請求の範囲】
【請求項１】
第一剤を収納した容器本体と、容器本体の口筒部に螺着される内キャップと外キャップとからなる内方に第二剤を収納したキャップとからなる二剤混合容器であって、
内キャップは、下壁と、下壁の外縁に垂設される係合筒と、係合筒に連設される底壁と、底壁の外縁に立設される内筒と、内筒の上端外周に連設される上壁と、上壁の外縁に垂設される外筒とを具え、
底壁には、流通孔が複数穿設され、
外筒の外周の所定の位置には、外筒の上端から切欠かれ、下方に傾斜面を具えた当接面部が形成された係合凹部が複数凹設され、
外キャップは、頂壁と、頂壁の下面に垂設され、外周が内キャップの内筒内周に挿入される内筒と、頂壁の外縁に垂設される外筒とを具え、
内筒は、内周下端が内キャップの係合筒外周に係合するとともに、下端が底壁上面に当接するように形成され、
外筒の内周には、内キャップの外筒の係合凹部に係合する位置に当接リブが複数配設されていることを特徴とする二剤混合容器。
【請求項２】
係合凹部の当接面部は、最下面部と、最下面部の端から上方に傾斜する傾斜面部と、傾斜面部の端から係合凹部の端に延びる最上面部とが形成されていることを特徴とする請求項１記載の二剤混合容器。
【請求項３】
係合凹部の凹面の所定の位置に、逆回転防止突部が突設されていることを特徴とする請求項１または２記載の二剤混合容器。
【請求項４】
内キャップの下方に、内バージンリングが設けられ、
外キャップの下方に、外バージンリングが設けられていることを特徴とする請求項１記載の二剤混合容器。
【請求項５】
内キャップと内バージンリング、および、外キャップと外バージンリングが、破断可能な複数の弱化連結片を介して連設されていることを特徴とする請求項４記載の二剤混合容器。
【請求項６】
内バージンリングの内周に、上部が容器本体の口筒部に係合する係止突部が設けられていることを特徴とする請求項４または５記載の二剤混合容器。
【請求項７】
内バージンリングの外周上端に、係止突条が設けられ、
外バージンリングの内周上部に、上部が内バージンリングの係止突条の下部に係合する係止突部が設けられていることを特徴とする請求項４〜６のいずれかに記載の二剤混合容器。
【発明の詳細な説明】
【技術分野】
【０００１】
本発明は、分離して収納した二剤を簡単な操作で混合できるようにした二剤混合容器に関するものである。
【背景技術】
【０００２】
二剤混合容器として、第一剤を容器本体に収納し、第二剤を容器本体の口筒部上方に装着するキャップ内に収納し、キャップを操作することによって、キャップ内の第二剤を容器本体内に落下させ、二剤を混合させるようにした混合容器は、従来より知られている（例えば、特許文献１参照）。
【特許文献１】特開平８−７２９２１号
【発明の開示】
【発明が解決しようとする課題】
【０００３】
しかしながら、上記特許文献記載の混合容器では、上キャップ（キャップ５）を螺動降下させ、容器本体（第１容器体２）内の第一剤と下キャップ（第２容器体３）内の第二剤とを混合させた後に、下キャップ（第２容器体３）を開蓋して、容器本体（第１容器体２）内の混合剤を使用するようにしている。
このため、使用者が使用時の手順を間違えて、上キャップ（キャップ５）を螺動降下させずに下キャップ（第２容器体３）を開蓋し、第一剤と第二剤とが混合されていないのに気づかず、容器本体（第１容器体２）内の第一剤のみを使用してしまうというおそれがあった。
【０００４】
また、上記特許文献記載の混合容器では、いたずらなどの不正行為を防止するために、容器の周りをシュリンクフィルムで被覆しているが、不正行為者がシュリンクフィルムを全て外した後に不正行為を行い、そのまま放置しても、使用者が気づかないというおそれがあった。
【０００５】
本発明は、上記の問題を解決することを課題として、キャップを一方向に回転させることで、第一剤と第二剤とを混合させることができ、開蓋して容器本体内の混合剤を使用することができるとともに、いたずらなどの不正行為が行われたかどうかを使用者が簡単に判別することのできるようにした二剤混合容器を提供することを目的とする。
【課題を解決するための手段】
【０００６】
本発明は、上記の課題を解決するため、二剤混合容器として、第一剤を収納した容器本体と、容器本体の口筒部に螺着される内キャップと外キャップとからなる内方に第二剤を収納したキャップとからなる二剤混合容器であって、内キャップは、下壁と、下壁の外縁に垂設される係合筒と、係合筒に連設される底壁と、底壁の外縁に立設される内筒と、内筒の上端外周に連設される上壁と、上壁の外縁に垂設される外筒とを具え、底壁には、流通孔が複数穿設され、外筒の外周の所定の位置には、外筒の上端から切欠かれ、下方に傾斜面を具えた当接面部が形成された係合凹部が複数凹設され、外キャップは、頂壁と、頂壁の下面に垂設され、外周が内キャップの内筒内周に挿入される内筒と、頂壁の外縁に垂設される外筒とを具え、内筒は、内周下端が内キャップの係合筒外周に係合するとともに、下端が底壁上面に当接するように形成され、外筒の内周には、内キャップの外筒の係合凹部に係合する位置に当接リブが複数配設されていることを特徴とする構成を採用する。
【０００７】
係合凹部の実施例として、係合凹部の当接面部は、最下面部と、最下面部の端から上方に傾斜する傾斜面部と、傾斜面部の端から係合凹部の端に延びる最上面部とが形成されていることを特徴とする構成、または、係合凹部の凹面の所定の位置に、逆回転防止突部が突設されていることを特徴とする構成を採用する。
【０００８】
不正行為の判別のために、内キャップの下方に、内バージンリングが設けられ、外キャップの下方に、外バージンリングが設けられていることを特徴とする構成を採用し、具体的な実施例として、内キャップと内バージンリング、および、外キャップと外バージンリングが、破断可能な複数の弱化連結片を介して連設されていることを特徴とする構成、内バージンリングの内周に、上部が容器本体の口筒部に係合する係止突部が設けられていることを特徴とする構成、内バージンリングの外周上端に、係止突条が設けられ、外バージンリングの内周上部に、上部が内バージンリングの係止突条の下部に係合する係止突部が設けられていることを特徴とする構成を採用する。
【発明の効果】
【０００９】
本発明の二剤混合容器は、第一剤を収納した容器本体と、容器本体の口筒部に螺着される内キャップと外キャップとからなる内方に第二剤を収納したキャップとからなる二剤混合容器において、外キャップを把持して一方向に回転し続けることで、外キャップを内キャップに対して上昇させ、収納した第二剤を容器本体内に落下させ、第一剤と混合させるとともに、内キャップをも回転させ、キャップを容器本体から開蓋して混合剤を使用することができ、使用者が手順を間違えることを防止することができる。
【００１０】
また、外キャップが回転することで、外キャップより外バージンリングが下方に落ちて容器の口筒部上に残るとともに、内キャップが回転すると、内キャップより内バージンリングが下方に落ちて容器口筒部上に残るようになっているので、外バージンリング、または、内バージンリングの状態を見て、いたずらなどの不正行為が行われたかどうかを使用者が簡単に判別することができる。
【発明を実施するための最良の形態】
【００１１】
次に、本発明の二剤混合容器について、図面を参照して説明する。
図１において、Ａは液体または粉体等の第一剤を収納した容器本体、Ｂは容器本体Ａに装着される内キャップ、Ｃは内キャップＢに装着される外キャップである。
外キャップＣと内キャップＢとが係合して、内部に液体、または粉体等の第二剤が収納される収納室Ｓが形成される。
【００１２】
容器本体Ａは、上部に口筒部１を具えており、口筒部１外周には、上部にねじ２が螺設され、ねじ２の下方には係止突条３が配設されている。
【００１３】
内キャップＢは、図１、２に示すように、内キャップ本体Ｂ１と、内バージンリングＢ２とからなっている。
【００１４】
内キャップ本体Ｂ１は、下壁４と、下壁４の外縁に垂設される係合筒５と、係合筒５の下端外周に連設されるリング状の底壁６と、底壁６の外縁に立設される内筒７と、内筒７の上端外周に連接されるリング状の上壁８と、上壁８の外縁に垂設される外筒９とからなっている。
【００１５】
底壁６の所定の位置には、内筒７の下部の所定の高さまで延びる流通孔１０が、複数穿設されている。
【００１６】
上壁８下面には、外周が容器本体Ａの口筒部１の内周に挿入される密封筒１１が配設されている。
【００１７】
外筒９の内周には、容器本体Ａの口筒部１のねじ２に螺合するねじ１２が螺設されている。
外筒９の外周には、所定の位置に、外キャップＣと係合する係合凹部１３が等間隔で複数凹設されるとともに、所定の高さに係止リブ１４が周設されている。
外筒９の下端には、引張ることによって破断可能な複数の弱化連結片１５を介して内バージンリングＢ２が連設されている。
【００１８】
係合凹部１３は、外筒９の上端から切欠かれ、下方に当接面部１６が形成され、当接面部１６の右側の所定の位置には、逆回転防止突部１７が突設されている。
【００１９】
当接面部１６は、係合凹部１３の左側端から延びる左側の最下面部１６ａと、最下面部１６ａの右端から上方に傾斜するとともに、右端が逆回転防止突部１７の位置まで延びる傾斜面部１６ｂと、傾斜面部１６ｂの右端から係合凹部１３の右側端に延びる最上面部１６ｃとが形成されている。
【００２０】
内バージンリングＢ２は、内周に、上部が容器本体Ａの係止突条３の下部に係合する係止突部１８が設けられ、外周上端に、係止突条１９が設けられている。
【００２１】
外キャップＣは、図１、３に示すように、外キャップ本体Ｃ１と、外バージンリングＣ２とからなっている。
【００２２】
外キャップ本体Ｃ１は、頂壁２０と、頂壁２０の下面に垂設され、外周が内キャップ本体Ｂ１の内筒７内周に挿入される内筒２１と、頂壁２０の外縁に垂設される外筒２２とからなっている。
【００２３】
内筒２１は、外キャップＣを内キャップＢに装着した時に、内周下端が内キャップ本体Ｂ１の係合筒５外周に係合するとともに、下端が底壁６上面に当接するように形成されている。
【００２４】
外筒２２の内周には、内キャップ本体Ｂ１の外筒９の係合凹部１３に係合する位置に当接リブ２３が等間隔で複数配設され、外筒２２の内周下端には、上部が外筒９の係止リブ１４の下部と当接する係止突部２４が設けられている。
外筒２２の下端には、引張ることによって破断可能な複数の弱化連結片２５を介して外バージンリングＣ２が連設されている。
【００２５】
当接リブ２３は、外キャップＣを内キャップＢに装着した時に、先端２３ａが係合凹部１３の当接面部１６の最下面部１６ａに当接する高さで形成されている。
【００２６】
外バージンリングＣ２の内周上部には、上部が内バージンリングＢ１の係止突条１９の下部に係合する係止突部２６が設けられている。
【００２７】
外キャップＣを内キャップＢに装着した時には、外キャップ本体Ｃ１の内筒２１内周と頂壁２０下面、および内キャップ本体Ｂ１の底壁６上面とで液体、または粉体等の第二剤が収納される収納室Ｓが形成される。
【００２８】
次に、本発明の二剤混合容器の使用態様と作用効果について説明する。
まず始めに、二剤混合容器の組立方法について説明する。
まず、外キャップＣを倒立させ、外キャップＣの内筒２１内に、液体または粉体等の第二剤を規定量まで入れる。
【００２９】
次いで、倒立したまま内キャップＢを外キャップＣ内に装着して複合キャップとする。
その際、外キャップ本体Ｃ１の外筒２２のそれぞれの当接リブ２３の先端２３ａが、内キャップ本体Ｂ１の外筒９のそれぞれの係合凹部１３の当接面部１６の最下面部１６ａに当接する位置で係合されるとともに、外キャップ本体Ｃ１の外筒２２内周下端の係止突部２４が、外筒９の係止リブ１４を乗り越えて、外キャップ本体Ｃ１が内キャップ本体Ｂ１の外周に装着される。
【００３０】
また、外バージンリングＣ２内周の係止突部２６が、内バージンリングＢ２外周の係止突条１９を乗り越えて、係止突部２６の上部が係止突条１９の下部と係合し、外バージンリングＣ２が内バージンリングＢ２の外周に装着される。
【００３１】
さらに、外キャップ本体Ｃ１の内筒２１が、内キャップ本体Ｂ１の内筒７内周に挿入され、内筒２１の下端部が、内キャップ本体Ｂ１の係合筒５外周に係合するとともに底壁６上面に当接し、底壁６、および内筒７の流通孔１０を閉鎖して、複合キャップ内に収納室Ｓが形成される。
【００３２】
最後に、キャップを正立させた後、第一剤を収納した容器本体Ａの口筒部１外周と、内キャップ本体Ｂ１の外筒９内周を螺着させてキャップを容器本体Ａに装着する。
その際、内バージンリングＢ２内周の係止突部１８が、容器本体Ａの係止突条３を乗り越えて、係止突部１８の上部が係止突条３の下部と係合し、内バージンリングＢ２が、容器本体Ａの口筒部１外周に装着される。
以上のようにして、二種類の内容物を収納した二剤混合容器が得られる。
【００３３】
本発明の二剤混合容器では、外キャップ本体Ｃ１の内筒２１の下端部が、内キャップ本体Ｂ１の係合筒５外周に係合するとともに、流通孔１０を閉鎖しているので、運搬時に、容器が激しく揺さぶられたりしても、第二剤が収納室Ｓから出て容器本体Ａ内の第一剤と混合することを防止している。
【００３４】
二剤混合容器の使用にあたっては、まず始めに、外キャップ本体Ｃ１の外筒２２外周を把持し、左回転方向に廻動させる。
外キャップ本体Ｃ１を廻動させると、まず、外キャップ本体Ｃ１の外筒２２のそれぞれの当接リブ２３の先端２３ａが、内キャップ本体Ｂ１の外筒９のそれぞれの係合凹部１３の最下面部１６ａ上を摺動し、傾斜面部１６ｂに当接する。
【００３５】
外キャップ本体Ｃ１をさらに廻動させると、それぞれの当接リブ２３の先端２３ａが傾斜面部１６ｂの傾斜を摺動して、外キャップ本体Ｃ１が内キャップ本体Ｂ１に対して上昇していく。
【００３６】
外キャップ本体Ｃ１が上昇すると、図４に示すように、外キャップ本体Ｃ１の内筒２１の下端部と内キャップ本体Ｂ１の係合筒５外周との係合が外れるとともに、底壁６上面との当接が外れ、底壁６、および内筒７の流通孔１０が開放され、収納室Ｓ内の第二剤が流通孔１０を通じて容器本体Ａ内に落下し、第二剤と第一剤が容器本体Ａ内で混合される。
【００３７】
外バージンリングＣ２は、係止突部２６の上部と内バージンリングＢ２の係止突条１９の下部とが係合して上昇が防止されている。
外キャップ本体Ｃ１の上昇が進むと、外キャップ本体Ｃ１と外バージンリングＣ２との間の弱化連結片２５を切断し、連結が外されるとともに、外バージンリングＣ２の係止突部２６の上部と内バージンリングＢ２の係止突条１９の下部との係合が外れ、外バージンリングＣ２が内バージンリングＢ２に対して下方に落下する。
【００３８】
外キャップ本体Ｃ１の廻動を続けると、それぞれの当接リブ２３がそれぞれの係合凹部１３の逆回転防止突部１７を乗り越え、使用者にクリック感を与えるとともに、先端２３ａが係合凹部１３の最上面部１６ｃを摺動し、外キャップ本体Ｃ１の上昇が終了するとともに、当接リブ２３の右側面が係合凹部１３の右側面に当接する。
【００３９】
また、外キャップ本体Ｃ１の外筒２２の係止突部２４の上部が、内キャップ本体Ｂ１の外筒９の係止リブ１４の下部と当接し、外キャップ本体Ｃ１が内キャップ本体Ｂ１に対し、それ以上上昇することを防止するとともに、抜け落ちることを防止している。
【００４０】
必要に応じて、この状態で容器を振ると、収納室Ｓ内に残った第二剤と容器本体Ａ内の第一剤とを通気孔１０を通して完全に攪拌混合し、容器本体Ａ内に落下させることができる。
その際、内キャップ本体Ｂ１の内筒７内周に、外キャップ本体Ｃ１の内筒２１の外周が挿入されて密着しているので、内容物が収納室Ｓ内より外方のキャップ内に漏れ出ることを防止している。
【００４１】
さらに、外キャップ本体Ｃ１を廻動させると、当接リブ２３と内キャップ本体Ｂ１の係合凹部１３との当接により、外キャップ本体Ｃ１とともに内キャップ本体Ｂ１を廻動させる。
【００４２】
内キャップ本体Ｂ１を廻動してゆくと、容器本体Ａの口筒部１との螺合により、内キャップ本体Ｂ１が容器本体Ａに対して上昇してゆく。
【００４３】
内バージンリングＢ１は、係止突部１８の上部と容器本体Ａの係止突条３の下部とが係合して上昇が防止されている。
内キャップ本体Ｂ１の上昇が進むと、内キャップ本体Ｂ１と内バージンリングＢ２との間の弱化連結片１５を切断し、連結が外されるとともに、内バージンリングＢ２の係止突部１８の上部と容器本体Ａの係止突条３の下部との係合が外れ、内バージンリングＢ２が容器本体Ａの係止突条３に対して下方に落下する。
【００４４】
さらに、外キャップ本体Ｃ１とともに内キャップ本体Ｂ１を廻動させると、最後には、容器本体Ａの口筒部１との螺合が外れ、キャップを開蓋して容器本体Ａ内の混合した第二剤と第一剤の混合物を使用することができる。
【００４５】
キャップを容器本体Ａに対して再度閉蓋する際には、外キャップ本体Ｃ１の当接リブ２３が係合凹部１３の逆回転防止突部１７を乗り越え、当接リブ２３の左側面が逆回転防止突部１７と係合し、外キャップ本体Ｃ１が内キャップ本体Ｂ１に対して右回転することを防止するので、外キャップ本体Ｃ１とともに内キャップ本体Ｂ１を右回転させ、容器本体Ａの口筒部１に螺合させて閉蓋することができる。
また、内キャップ本体Ｂ１の内筒７内周に、外キャップ本体Ｃ１の内筒２１の外周が挿入されて密着しているので、キャップ自体の密封性もよい。
【００４６】
本発明のキャップは、第二剤と第一剤を混合物することができることと、容器本体Ａから開蓋することを、外キャップ本体Ｃ１を左回転することにより行えるので、使用者が手順を間違えることを防止することができる。
【００４７】
本発明のキャップは、外キャップ本体Ｃ１を左回転することによって、外キャップ本体Ｃ１および内キャップ本体Ｂ１が上昇し、外キャップ本体Ｃ１と外バージンリングＣ２との間の連結、または、内キャップ本体Ｂ１と内バージンリングＢ２との間の連結を切断し、外バージンリングＣ２、および、内バージンリングＢ２を容器本体Ａの口筒部１側に残すので、外キャップＣおよび内キャップＢの連結の具合を見て、第二剤と第一剤の混合、および、容器の開封の有無を確認することができ、いたずらなどの不正を防止することができる。
【００４８】
上記実施形態では、キャップを左回転させるようにしているが、内キャップと容器本体の螺合するねじの形状、および、内キャップの係合凹部の当接面部の形状と逆回転防止突部の位置を上記実施形態の方向と逆に変えることによって、キャップを右回転方向に廻動させ、第二剤と第一剤の混合、キャップの開蓋を行うようにすることができる。
キャップの回転方向は、容器の使用意図により、変更して設定できるので、上記実施形態の回転方向に限定されない。
【産業上の利用可能性】
【００４９】
本発明の二剤混合容器は、容器本体と、内キャップと外キャップとからなるキャップにおいて、外キャップを一方向に回転させることによって、キャップ内の第二剤を容器本体内に落下させるとともに内キャップと容器本体との係合を外し、開蓋することができる。
また、本発明の混合容器は容器内の密封性も高く、さらに、いたずらなどの不正を防止することができるので、飲料品、食料品、化粧品、香料、薬品、その他の混合容器として、広く利用することができる。
【図面の簡単な説明】
【００５０】
【図１】本発明の二剤混合容器の説明図で、（ａ）は一部断面立面図、（ｂ）はキャップのＡ−Ａ線における上面図である。
【図２】内キャップの説明図で、（ａ）は上面図、（ｂ）は一部断面立面図である。
【図３】外キャップの説明図で、（ａ）は一部断面立面図、（ｂ）は外キャップ本体の下面図である。
【図４】外キャップ廻動時の説明図で、（ａ）は一部断面立面図、（ｂ）はキャップのＢ−Ｂ線における上面図である。
【符号の説明】
【００５１】
Ａ            容器本体
Ｂ            内キャップ
Ｂ１          内キャップ本体
Ｂ２          内バージンリング
Ｃ            外キャップ
Ｃ１          外キャップ本体
Ｃ２          外バージンリング
Ｓ            収納室
１            口筒部
２、１２      ねじ
３、１９      係止突条
４            下壁
５            係合筒
６            底壁
７、２１      内筒
８            上壁
９、２２      外筒
１０          流通孔
１１          密封筒
１３          係合凹部
１４          係止リブ
１５、２５    弱化連結片
１６          当接面部
１６ａ        最下面部
１６ｂ        傾斜面部
１６ｃ        最上面部
１７          逆回転防止突部
１８、２４、２６    係止突部
２０          頂壁
２３          当接リブ
２３ａ        先端
【図１】
2010052823.tif 000003
【図２】
2010052823.tif 000004
【図３】
2010052823.tif 000005
【図４】
2010052823.tif 000006